(57)【特許請求の範囲】
【請求項１】
ドアに対して、錠と、ハンドル取付座及びドア用ハンドルを、角芯を連通させた状態で取り付けるドア用ハンドルの取り付け方法において、
ドアは側端面に凹部を有し、錠は角芯挿通孔を有し、ドア用ハンドルは持ち手と角芯取り付け部を有し、ハンドル取付座は孔を有し、錠は前記ドアの凹部に配置され、ドア用ハンドル及びハンドル取付座はドアの表裏面側にあるものであり、
ドアに錠を設置した状態で、一方のハンドル取付座をドアの表裏一方の面に取り付け、
他方のハンドル取付座に、
角芯を保持する角芯保持部と、ハンドル取付座の孔と嵌合する嵌合部を有し、ハンドル取付座の孔に嵌合部を嵌合させた際に前記角芯保持部の軸心がハンドル取付座にドア用ハンドルを装着した際の角芯取り付け部の軸心と一致するハンドル取付座の位置調整部材を装着し、
この状態で、角芯を一方のドア用ハンドルと錠の角芯挿通孔と他方のハンドル取付座の位置調整部材に連通させ、さらにこの状態で他方のハンドル取付座をドアに固定し、前記位置調整部材を他方のハンドル取付座から外した後に、ドア用ハンドルを取り付けることを特徴とするドア用ハンドルの取り付け方法。
【請求項２】
請求項１に記載のドア用ハンドルの取り付け方法に使用されるものであることを特徴とするハンドル取付座の位置調整部材。
【請求項３】
嵌合部に、軸方向に少なくとも１つ以上の切り欠きが設けられたことを特徴とする請求項２に記載のハンドル取付座の位置調整部材。
【請求項４】
嵌合部と、角芯保持部が弾性を有することを特徴とする請求項２又は３に記載のハンドル取付座の位置調整部材。
【請求項５】
ハンドル取付座には凹部が設けられ、当該凹部に取り付け孔が設けられ、ドア用ハンドルには係合部があり、前記係合部がハンドル取付座の凹部と係合し、その状態においては前記係合部が前記取り付け孔を覆うことを特徴とする請求項２乃至４のいずれかに記載のハンドル取付座の位置調整部材。
【発明の詳細な説明】
【技術分野】
【０００１】
本発明は、ドアに錠及びハンドルを取り付ける際の補助部材に関するものであり、ハンドル取付座の位置調整を容易にする位置調整部材に関するものである。さらに詳細には、ドアの両面に配置されたドア用ハンドルと取付座と錠に角芯を挿通させる際に使用する位置調整部材補助部材に関するものである。
また本発明は、当該位置調整部材を使用して行う、ドア用ハンドルの取り付け方法に関するものである。
【背景技術】
【０００２】
ドアには、錠が取り付けられる場合が多く、さらにドアの表裏面には、錠を動作させるドア用ハンドルが取り付けられる。
そしてドアの表裏面に取り付けられたドア用ハンドルと中央の錠のハブ孔（角芯挿通孔）の三者に角芯が挿通される。
この構造によると、表裏いずれかのドア用ハンドルを回動させた際、これと連動して中央のハブ孔（角芯挿通孔）が回動し、錠のラッチを没入させることができる。
【０００３】
またドア用ハンドルと、ドアとの間にハンドル取付座が介在された構造のものもある。ハンドル取り付け座は、多くの場合、ドア用ハンドルの一部が係合して軸受けとして機能する部位と、角芯または、ドア用ハンドルの角芯取り付け部を挿通させる孔が設けられている。
【０００４】
そしてドアに一対のドア用ハンドルを取り付けるには、錠をドアに形成した凹部に装着し、さらにドアの表裏面に取り付け座を取り付けた後に一方又は双方のドア用ハンドルを取り付ける。
ここで前記した様に、ドアの表裏面に取り付けられたドア用ハンドルと中央の錠のハブ孔（角芯挿通孔）の三者に角芯が挿通させる必要があることから、表裏の取り付け座は、その孔の中心軸と、錠のハブ孔（角芯挿通孔）の中心軸が完全に一致していなければならない。
即ち表裏の取り付け座の孔と、ハブ孔の三者は、中心軸が完全に一致しなければならない。
この様に、ドアの表裏に取り付けられた一対の取付座の孔と錠のハブ孔、及びドア用ハンドルの凹孔の中心軸が同一直線上に正しく配置される必要がある。
【先行技術文献】
【特許文献】
【０００５】
【特許文献１】特開２００１−２５４５３８
【発明の概要】
【発明が解決しようとする課題】
【０００６】
そのため予め錠をドアに形成した凹部に装着し、その後に角芯をハブ孔に挿入し、この状態でドアの表裏にそれぞれ取付座とドア用ハンドルとを配置し、表裏のドア用ハンドルに角芯を挿通した状態で、取付座をドアに固定すれば、一対の取付座の孔と錠のハブ孔、及びドア用ハンドルの凹孔の中心軸が同一直線上に正しく配置させることができる。
しかしながら、この方策を実現するためには、表裏のドア用ハンドルに角芯を挿通した状態で、取付座をドアに固定することができる構造であることが必須である。
即ちドア用ハンドルを取付座等に取り付けた状態で、取付座を固定するためのネジを締めることができなければならない。そのため、この方策を実現するためには、ドア用ハンドルを取り付けた状態で、必然的に、ネジ等の頭が外部に露出してしまうこととなり、ドアの見栄えが悪い。
【０００７】
そのためドア用ハンドルを取り付ける際の利便性を犠牲にして、取り付け座の取り付けネジをドア用ハンドルによって隠す構造を採用する場合が多い。
即ちドア用ハンドルにフランジを設け、フランジで取り付けネジを覆う。
【０００８】
この様な、ドア用ハンドルを角芯に係合させた時、ネジが締め辛い位置にネジ孔がある取付座を使用する場合、取付座に設けられた角芯貫通用の孔は、角芯よりも大きく形成されているので、取付座を仮止めして何度も角芯やドア用ハンドルを抜き差ししながら徐々にネジを締めていくしかなく、取り付け作業が煩雑となっていた。そのため、本発明では、そのような取付座の位置を容易に確定し、固定することを課題とする。
【課題を解決するための手段】
【０００９】
上記課題を解決するための請求項１に記載の発明は、ドアに対して、錠と、ハンドル取付座及びドア用ハンドルを、角芯を連通させた状態で取り付けるドア用ハンドルの取り付け方法において、ドアは側端面に凹部を有し、錠は角芯挿通孔を有し、ドア用ハンドルは持ち手と角芯取り付け部を有し、ハンドル取付座は孔を有し、錠は前記ドアの凹部に配置され、ドア用ハンドル及びハンドル取付座はドアの表裏面側にあるものであり、ドアに錠を設置した状態で、一方のハンドル取付座をドアの表裏一方の面に取り付け、他方のハンドル取付座に、角芯を保持する角芯保持部と、ハンドル取付座の孔と嵌合する嵌合部を有し、ハンドル取付座の孔に嵌合部を嵌合させた際に前記角芯保持部の軸心がハンドル取付座にドア用ハンドルを装着した際の角芯取り付け部の軸心と一致するハンドル取付座の位置調整部材を装着し、この状態で、角芯を一方のドア用ハンドルと錠の角芯挿通孔と他方のハンドル取付座の位置調整部材に連通させ、さらにこの状態で他方のハンドル取付座をドアに固定し、前記位置調整部材を他方のハンドル取付座から外した後に、ドア用ハンドルを取り付けることを特徴とするドア用ハンドルの取り付け方法である。
【００１０】
かかる方法によると、仮止めをしながら取付座の位置を調整する必要がないため、正確かつ迅速にハンドル取付座を配置することができる。
【００１１】
請求項２に記載の発明は、請求項１に記載のドア用ハンドルの取り付け方法に使用されるものであることを特徴とするハンドル取付座の位置調整部材である。
【００１２】
すなわち、本発明のハンドル取付座の位置調整部材は、ドアに対して、錠と、ハンドル取付座及びドア用ハンドルを取り付ける際に使用するハンドル取付座の位置調整部材であって、ドアは側端面に凹部を有し、錠は角芯挿通孔を有し、ドア用ハンドルは持ち手と角芯取り付け部を有し、ハンドル取付座は孔を有し、錠は前記ドアの凹部に配置され、ドア用ハンドル及びハンドル取付座はドアの表裏面側にあり、ドア用ハンドルの角芯取り付け部と錠の角芯挿通孔とを角芯で連通させた構造を構築する際に使用されるハンドル取付座の位置調整部材において、角芯を保持する角芯保持部３と、ハンドル取付座の孔２５と嵌合する嵌合部５を有し、ハンドル取付座の孔２５に嵌合部５を嵌合させた際に前記角芯保持部３の軸心がハンドル取付座にドア用ハンドルを装着した際の角芯取り付け部３０の軸心と一致することを特徴とするものである。
【００１３】
本発明の位置調整部材は、角芯を保持する角芯保持部３と、取付座の孔２５に嵌合するための嵌合部５を備えている。
本発明の構造を持つ位置調整部材を取付座に嵌合させた後、角芯を位置調整部材と錠の貫通孔に連通させた状態で取付座を固定すると、固定された当該各位置が即ち取付座と錠の角芯貫通用の孔の中心軸を同一直線上とする配置になるため、何回もドア用ハンドルを抜き差しする必要がなくなり、取付座のネジを一度に締めることができる。
また、かかる構成によれば、取付座をドアに固定するためのネジ孔が、取付座とドア用ハンドルの角芯取り付け部の重なる箇所に配置されている取付座を使用する場合であっても、容易に取付座の固定を行うことができる。
【００１４】
請求項３に記載の発明は、嵌合部に、軸方向に少なくとも１つ以上の切り欠きが設けられたことを特徴とする請求項２に記載のハンドル取付座の位置調整部材である。
【００１５】
かかる構成によると、取付座の孔に位置調整部材の嵌合部を装着することが容易にとなる。
【００１６】
請求項４に記載の発明は、嵌合部と、角芯保持部が弾性を有することを特徴とする請求項２又は３に記載のハンドル取付座の位置調整部材である。
【００１７】
かかる構成によると、取付座に嵌合する部分が弾性を有しているため、位置調整部材と取付座が密接状態となるように取り付けることができ、また、位置調整部材の、角芯保持部が弾性を有するために、該角芯保持部の大きさが角芯より小さい場合であっても位置調整部材に角芯を密接に貫通させることができる。
【００１８】
請求項５に記載の発明は、ハンドル取付座には凹部が設けられ、当該凹部に取り付け孔が設けられ、ドア用ハンドルには係合部があり、前記係合部がハンドル取付座の凹部と係合し、その状態においては前記係合部が前記取り付け孔を覆うことを特徴とする請求項２乃至４のいずれかに記載のハンドル取付座の位置調整部材である。
【００１９】
かかる構成によると、ハンドル取付座を固定するネジがドア用ハンドルによって隠されるために、無駄を省いた外観になり美感を向上させる。また、かかる構成においてもドア用ハンドル取付座の固定にかかる労力は、他の構成のドア用ハンドル取付座を使用する時と、なんら変わらない。
【００２０】
ドアに対して、錠と、ハンドル取付座及びドア用ハンドルを取り付ける際に使用するハンドル取付座の位置調整部材であって、ドアは側端面に凹部を有し、錠は角芯挿通孔を有し、ドア用ハンドルは持ち手と角芯取り付け部を有し、ハンドル取付座はドア用ハンドルと係合する凹孔と、該凹孔の内側底面に取付座を固定する為のネジ孔を有し、錠は前記ドアの凹部に配置され、ドア用ハンドル及びハンドル取付座はドアの表裏面側にあり、ドア用ハンドルの角芯取り付け部と錠の角芯挿通孔とを角芯で連通させ、ハンドル取付座とドア用ハンドルが係合した際に、ハンドル取付座のネジ孔がドア用ハンドルにより隠される構造を構築する際に使用されるハンドル取付座の位置調整部材において、角芯を保持する角芯保持部と、ハンドル取付座の孔と嵌合する嵌合部を有し、ハンドル取付座の孔に嵌合部を嵌合させた際に前記角芯保持部の軸心がハンドル取付座にドア用ハンドルを装着した際の角芯取り付け部の軸心と一致することを特徴としてもよい。
【発明の効果】
【００２１】
本発明の位置調整部材を取付座に装着した状態で角芯を連通させると、一方のドア用ハンドルを取り付けなくても、各部材の孔の中心軸が同一直線上に配置されることができる。そのため、部材を仮止めし、位置を微調整しながら固定する必要がなくなり、作業が効率化するという効果がある。
【図面の簡単な説明】
【００２２】
【図１】本発明の実施形態に係るドア用ハンドル連結構造の分解斜視図である。
【図２】本発明の実施形態のハンドル取付座の位置調整部材を示す斜視図である。
【図３】図２の位置調整部材を図２とは別方向より見た斜視図である。
【図４】（ａ）は図２の位置調整部材をＡ方向より、（ｂ）はＢ方向よりそれぞれ観察した図である。
【図５】図２のハンドル取付座の位置調整部材を使用し、取付座の固定位置の調整をする手順を示す説明図である。
【図６】図２のハンドル取付座の位置調整部材を使用し、取付座の固定位置の調整をする手順を示す説明図であり、図５の次の手順を示す説明図である。
【図７】図２のハンドル取付座の位置調整部材を使用し、取付座の固定位置の調整をする手順を示す説明図であり、図６の次の手順を示す説明図である。
【図８】図２のハンドル取付座の位置調整部材を使用し、取付座の固定位置の調整をする手順を示す説明図であり、図７の次の手順を示す説明図である。
【図９】図２のハンドル取付座の位置調整部材の断面図である。
【図１０】本発明の他の実施形態のハンドル取付座の位置調整部材の断面図である。
【図１１】図１１の実施形態のハンドル取付座を使用する際の状態を説明する説明図である。
【図１２】本発明の実施形態に係るドア用ハンドルをより詳細に示す分解斜視図である。
【図１３】（ａ）、（ｂ）、（ｃ）は、図１２のドア用ハンドルに角芯を挿入した際の動作を示す断面図である。
【発明を実施するための形態】
【００２３】
以下、本発明の実施形態について詳細に説明するが、本発明はこれらの例に限定されるものではない。また、以下の説明において、上下左右の位置関係については特に断りのない限り通常の設置状態を基準として説明する。
【００２４】
本実施形態におけるドア用ハンドル連結構造は、図１において示されるように、ドア１５、錠１９、一対の取付座２３ａ、２３ｂと、同じく一対のドア用ハンドル２７、２８と、それらを連通する角芯３３、取付座２３ａ、２３ｂを固定するネジ４０と雌ネジ部材３６によって構成されている。尚、本実施形態に特有の構成たる、位置調整部材１は、取付座２３ａ、２３ｂの固定位置を調整する際にのみ使用し、組み立て工程の途中において取り外すため、図１においては図示していない。
【００２５】
ドア１５の側端面には錠１９が配置されるための凹部１６が開口されており、ドア１５には、前記凹部１６に繋がるように孔１７がドア１５の裏表両面１カ所ずつ、計２カ所設けられている。尚、ドア１５の表裏両面に設けられた２つの前記孔１７は対応する位置に設けられ、その中心軸が一致している。
【００２６】
錠１９は略長方形の錠ケース１２を備えている。また錠ケース１２からハブ孔（角芯挿通孔）２０が露出している。
ハブ孔２０は、錠１９がドア１５の凹部１６に押挿された際に、ドア１５に設けられた孔１７と重なり合う位置あり、角芯３３とほぼ同じ大きさ及び形状である。
また錠ケース１２には、切り欠き２１、孔２２が設けられている。切り欠き２１、孔２２は、錠ケース１２の表裏面に貫通している。前記切り欠き２１と孔２２は、前記ハブ孔２０の両隣に設けられており、また、切り欠き２１は略半円状であり、孔２２は長孔である。
【００２７】
取付座２３は略正方形に成形されたものであり、中心にはドア用ハンドルと係合する円形の凹部２４が取付座２３の厚さの約半分程度の深さに設けられており、前記凹部２４の内側底面には、角芯３３を挿入可能にするための円形の孔２５を有している。そして、凹部２４の内側底面であり、孔２５の左右にはそれぞれネジ孔２６が形成されている。
【００２８】
ドア用ハンドル２７、２８は共に流線型の握り部２９と、角孔を有する角芯取り付け部３０を有している。前記角芯取り付け部３０の末端近辺には、近辺より大径のフランジ状の係合部３１が設けられており、該係合部３１は円形であり前記取付座２３の凹部２４と略同径である。なお、一方のドア用ハンドル２７の角芯取り付け部３０には、角芯３３の一端が既に係止されている。
【００２９】
雌ネジ部材３６は内側に雌ねじを設けた円柱状であり、一方の端部は取付座２３ｂのネジ孔２６より大径になっている。
【００３０】
位置調整部材１は、図２乃至４に示されるように、大きく分けて機能部１１と柄部７によって形成されている。
【００３１】
位置調整部材１の機能部１１の形状は中央に貫通孔２を有する筒状である。また、機能部１１は大径の胴部１０と小径の嵌合部５からなる２段になっている。
【００３２】
胴部１０の内側には後述する角芯３３とほぼ同じ大きさの、略正方形の角芯保持部３が形成されており、角芯保持部３の各頂点に相当する部には図４の様に丸孔４がそれぞれ設けられている。そして、角芯挿入の際には、角芯保持部３の直線部分１３により角芯３３を保持する。
【００３３】
嵌合部５には約９０度ごとに切り欠き６が２本ずつ、計８本の切り欠きが設けられている。
【００３４】
位置調整部材１の柄部７は胴部１０より扁平長尺に伸びており、柄部７の下部には搬送時に位置調整部材１を消失しないよう、紐を結合するための紐孔８が開口しているが、紐孔８に結合される紐は図示していない。柄部７の末端には約９０度の角度で爪９が嵌合部５と反対側に伸びている。
【００３５】
なお位置調整部材１は樹脂等の、半透明で弾性のある材質によって形成される部材である。
【００３６】
ドア１５に錠１９及び取付座２３、ドア用ハンドル２８を取り付ける場合は、図５で示されるように、まず、位置調整部材１の嵌合部５を取付座２３ａの孔２５に嵌合させる。この時、位置調整部材１は前述の通り、弾性を有する材質によって形成されており、かつ嵌合部５には切り欠き６が設けられているため、嵌合部５よりも取付座２３ａの孔２５が小さい場合であっても、両者を確実に嵌合させることが可能である。
【００３７】
位置調整部材１を取付座２３ａに嵌合させると、位置調整部材１の中心に設けられた角芯保持部３が取付座２３ａの円形の孔２５の中心に配置されることになる。即ち、位置調整部材１を嵌合させた取付座２３ａは、角芯３３とほぼ同じ大きさの孔が中心に一つ開いているだけの状態となる。
【００３８】
次に、図６で示されるように、錠１９をドア１５の凹部１６に押挿した後、ドア用ハンドル２７、取付座２３ｂ、雌ネジ部材３６ａ、３６ｂをドア１５の裏面に配置し、雌ネジ部材３６ａを錠１９の切り欠き２１に、雌ネジ部材３６ｂを錠１９の孔２２に、角芯３３を錠１９のハブ孔２０にそれぞれ貫通させる。尚、雌ネジ部材３６ａ、３６ｂは一方の端部が大径になっておりネジ孔２６に係止されるため、ドア１５へ抜けてしまうことはない。
【００３９】
錠１９、ドア用ハンドル２７、取付座２３ｂ、雌ネジ３６を所定の位置に配置した後、図７で示されるように、角芯３３を、取付座２３ａに嵌合させた位置調整部材１の貫通孔２に押挿し、取付座２３ａに設けられたネジ孔２６を介してネジ４０を雌ネジ部材３６ａ、３６ｂに結合させる。この時、取付座２３ａ、２３ｂは雌ネジ３６とネジ４０により前後から押圧され、完全に固定される。
【００４０】
尚、本実施形態における位置調整部材１は、前述の通り全体が半透明の材質により形成されているため、角芯３３を連通させる際には、位置調整部材１越しに角芯３３を視認しながら連通させることも可能である。
【００４１】
取付座２３aを固定する際、位置調整部材１はネジ孔２６に重なり合っておらず、ネジ孔２６は表面に露出しているため、位置調整部材１を嵌合させたまま固定することが可能である。
【００４２】
錠１９に設けられたハブ孔２０と、取付座２３ａに嵌合した位置調整部材１の角芯保持部３は角芯３３とほぼ同じ大きさであるから、角芯３３が各部材を連通した状態において、ハブ孔２０と角芯保持部３の中心軸は同一直線上に並ぶことになる。さらに、前述のように、角芯保持部３は取付座２３ａの孔２５の中心に位置しているため、角芯３３は孔２５の中心を正確に貫通していることになる。
【００４３】
その後、図８に示されるように、取付座２３ａを固定後、位置調整部材１を取付座２３ａより取り外し、角芯３３にドア用ハンドル２８の角芯取り付け部３０を押挿する。前述の通り、角芯３３は取付座２３ａの中心を貫通しているため、角芯３３に角芯取り付け部３０を押挿すると、ドア用ハンドル２８の係合部３１は取付座２３ａの凹部２４に正確に係合し、それ以上の位置調整の必要はなくなる。
【００４４】
上記した実施形態では、図９に示すように、位置調整部材１の角芯保持部３の断面は直線であるが、本発明の位置調整部材はこれに限るものではない。例えば図１０に示されるように、角芯保持部３の両端部がテーパ４４になっていてもよい。即ち、角芯が挿入された際、位置調整部材のいずれかの場所において角芯を保持できればよい。
【００４５】
また、本実施形態における位置調整部材の胴部、及び嵌合部は筒状であるが、本発明は本実施形態に限定されるわけではい。例えば、図１１に示されるように、取付座２３に設けられた孔２５’が角孔であれば嵌合部５’は角柱の形になってもよい。
【００４６】
尚、本発明の実施形態において使用されるドア用ハンドル２８には、より具体的には図１２に示されるように、係止板６０と係止ユニット５５と、ばね７０を有し、角芯３３の軸方向の保持を行う凹状の係止部５０を備えている。
【００４７】
係止板６０は中心に角芯３３を貫通させる角孔６１を有し、前記角孔６１の一部には貫通する角芯３３に対して断面が傾斜を持つ係止刃（図示せず）が設けられ、角孔６１の正投影幅よりも前記傾斜における傾斜投影幅が大きく形成されている。係止板６０は係止部５０内において、貫通する角芯３３に対して略垂直の係止姿勢と該係姿勢から傾斜した解除姿勢との間を連結部材６６により移動可能に保持され、ばね７０は係止板６０を係止姿勢側に付勢する。
【００４８】
係止ユニット５５は、円筒状で、内部に貫通孔５７を有している。係止ユニット５５の上部は、連結部材６６によって係止板６０と連結している。
【００４９】
このような構成のドア用ハンドル２８に角芯３３を挿入すると、図１３（ａ）〜（ｃ）に示されるように、上部が係止ユニット５５によって保持されている係止板６０は角芯３３の付勢力により傾斜を開始する。傾斜は解除角度まで進むと止まり、角芯３３は係止板６０の角孔６１を貫通し、ドア用ハンドル２８の係止部５０の奥まで進入する。角芯３３の挿入を止めると係止板６０はばね７０の付勢力により角芯３３を少し押し戻ながら、垂直に近づくように、解除時とは逆方向に傾斜を始め、係止姿勢まで角度が変わると傾斜を止め、角芯３３を固定する。
【００５０】
係止板６０の角孔６１には係止刃が設けられているため、一度挿入された角芯３３は軸方向に張力が働いても抜けることはなく、角芯３３をドア用ハンドル２８より取り外すためには、ドア用ハンドル２８の下部に設けられた操作開口５２より係止板６０を再び解除姿勢まで傾斜させる。
【００５１】
前述の通り、位置調整部材１はドア用ハンドル２８の取り付けの際には取付座２３ａより取り外しており、ドアハンドル２８の取り付けに対して不具合が起こった際には位置調整部材１の爪９を前記操作開口５２に挿入し、係止板６０に当接させて、係止板６０を解除姿勢まで傾斜させるために使用する。
【符号の説明】
【００５２】
１  位置調整部材
３  角芯保持部
５，５’  嵌合部
１５  ドア
１６  凹部
１９  錠
２０  ハブ孔（角芯挿通孔）
２３ａ，２３ｂ    取り付け座
２４  凹部
２５，２５’  孔
２７  ドア用ハンドル
２８  ドア用ハンドル
２９  握り部（持ち手）
３０  角芯取り付け部
３１  係合部
３３  角芯
３６a，３６ｂ  雌ネジ
４０  ネジ
４４  テーパ部
５０  係止部
５２  操作開口
５５  係止ユニット
５７  貫通孔
６０  係止板
６１  角孔
６２  係止刃
６６  連結部材
７０  ばね
【図１】
0005409572.tif 000002
【図２】
0005409572.tif 000003
【図３】
0005409572.tif 000004
【図４】
0005409572.tif 000005
【図５】
0005409572.tif 000006
【図６】
0005409572.tif 000007
【図７】
0005409572.tif 000008
【図８】
0005409572.tif 000009
【図９】
0005409572.tif 000010
【図１０】
0005409572.tif 000011
【図１１】
0005409572.tif 000012
【図１２】
0005409572.tif 000013
【図１３】
0005409572.tif 000014